(57)【特許請求の範囲】
【請求項１】
調理室を形成するキャビティケーシングを有する電子レンジにおいて、
前記調理室の温度を感知する温度感知センサーと、
前記キャビティケーシングの上部に安着されて空気の流動を案内し、一側に前記キャビティケーシングに向かう開口を有するダクト部材と、
前記ダクト部材の開口の内壁に備えられて前記温度感知センサーを支持するセンサーホルダとを備え、
前記センサーホルダは、前記温度感知センサーの外側面を取り囲むように把持する一対の把持部と、前記把持部の間に形成されて前記温度感知センサーの上向き離脱を防止する離脱防止部と、を含む
ことを特徴とする電子レンジ。
【請求項２】
前記温度感知センサーと前記センサーホルダとの間に備えられて前記温度感知センサーを弾性的に下向き加圧する加圧部材をさらに含むことを特徴とする請求項１に記載の電子レンジ。
【請求項３】
前記温度感知センサーは一端部に半径方向に伸びるフランジ部を備え、前記加圧部材が前記離脱防止部と前記フランジ部との間に備えられるスプリングであることを特徴とする請求項２に記載の電子レンジ。
【発明の詳細な説明】
【０００１】
【発明の属する技術分野】
本発明は電子レンジに係り、より詳細には、ダクト部材に温度感知センサーを支持するセンサーホルダを備えた電子レンジに関する。
【０００２】
【従来の技術】
以下、本発明を壁掛け型の電子レンジに適用して説明する。一般に、壁掛け型の電子レンジはガスレンジなどのような調理器具の上側に設けられてガスレンジから発生する煙及び匂いを吸入して排出するフード兼用の電子レンジである。
【０００３】
図５は従来の壁掛け型の電子レンジの分解斜視図である。同図に示したように、従来の壁掛け型の電子レンジは、調理室１１０及び部品室１１５が形成されている本体ケーシング１０１と、本体ケーシング１０１を取り囲んで電子レンジの外観を形成する逆‘Ｕ’字形状の外部ケーシング１０５と、本体ケーシング１０１の下部に結合される下部ケーシング１０３とを有する。
【０００４】
外部ケーシング１０５の上面には板面を貫通する排気口１０７が形成されており、下部ケーシング１０３の板面には一対の吸気口１０６が形成されている。
【０００５】
本体ケーシング１０１は外部ケーシング１０５と結合する前板面１１７及び後面板１１８と、前板面１１７と後面板１１８との間に備えられて内部に調理室１１０を形成するキャビティケーシング１６５とを有する。キャビティケーシング１６５の上部領域には空気の流動を案内するダクト部材１２５が設けられている。
【０００６】
キャビティケーシング１６５の上面には調理室１１０の温度を感知する温度感知センサー１５０の設置のためのセンサーブラケット１２７が備えられている。温度感知センサー１５０は温度感知センサー１５０の一端部に備えられてキャビティケーシング１６５の上部のセンサーブラケット１２７との相互結合のためのフランジ部１５１と、温度感知センサー１５０の他端部に備えられて温度感知センサー１５０に電源を供給する一対の端子１５２が備えられている。
【０００７】
センサーブラケット１２７は‘（’形状であって、一側は溶接工程によりキャビティケーシング１６５に固定され、他側は温度感知センサー１５０のフランジ部１５１が挿入されるようにキャビティケーシング１６５の上部面から所定の間隔で離隔されている。
【０００８】
ダクト部材１２５にはセンサーブラケット１２７に挿入された温度感知センサー１５０を収容する温度感知センサー収容部１２６が備えられている。温度感知センサー１５０の端子１５２には電源供給のためのリード線（図示せず）が連結され、そのリード線は温度感知センサー収容部１２６を通して引出される。
【０００９】
このような従来の電子レンジにおいては、温度感知センサー１５０をキャビティケーシング１６５の上部面に設けるためにセンサーブラケット１２７の一側を溶接した後、所定の間隔で離隔されたセンサーブラケット１２７の他側に温度感知センサー１５０を挿入すべきである。しかしながら、温度感知センサー１５０の設置のための作業工程がややこしくて作業性が低下し、センサーブラケット１２７の溶接工程により制作費が増えるという問題点もある。
【００１０】
【発明が解決しようとする課題】
本発明の目的は、温度感知センサーを支持するセンサーホルダがダクト部材に備えられた電子レンジを提供することにある。
【００１１】
【課題を解決するための手段】
本発明は、前記課題を解決するため、調理室を形成するキャビティケーシングを有する電子レンジにおいて、前記調理室の温度を感知する温度感知センサーと、前記キャビティケーシングの上部に安着されて空気の流動を案内し、一側に前記キャビティケーシングに向かう開口を有するダクト部材と、前記ダクト部材の開口の内壁に備えられて前記温度感知センサーを支持するセンサーホルダとを備えることを特徴とする電子レンジを提供する。
【００１２】
ここで、前記センサーホルダが前記温度感知センサーの外側面を取り囲むように把持する一対の把持部と、前記把持部の間に形成されて前記温度感知センサーの上向き離脱を防止する離脱防止部とを含む。
【００１３】
また、前記電子レンジは前記温度感知センサーと前記センサーホルダとの間に備えられて前記温度感知センサーを弾性的に下向き加圧する加圧部材をさらに含む。
【００１４】
ここで、前記温度感知センサーは一端部に半径方向に伸びるフランジ部を備え、前記加圧部材が前記離脱防止部と前記フランジ部との間に備えられるスプリングであることが好ましい。
【００１５】
【発明の実施の形態】
以下、添付した図面を参照して本発明の実施形態を詳しく説明する。
図１は本発明による壁掛け型の電子レンジの分解斜視図である。同図に示したように、壁掛け型の電子レンジは、本体を形成する本体ケーシング１と、本体ケーシング１を取り囲んで電子レンジの外観を形成する外部ケーシング５と、本体ケーシング１の下部に結合される下部ケーシング３とを有する。
【００１６】
外部ケーシング５は逆‘Ｕ’字形状であって、外部ケーシング５の上面には板面を貫通する排気口７が形成されている。下部ケーシング３は長方形板状であって、その板面を貫通する一対の吸気口６を有する。
【００１７】
本体ケーシング１は外部ケーシング５の前面及び後面に結合される前面板１７及び後面板１８と、前面板１７と後面板１８との間に備えられて内部に調理室１０及び部品室１５を区切るキャビティケーシング６５とを有する。キャビティケーシング６５の上部領域には空気の流動を案内するダクト部材２５が設けられている。
【００１８】
以下、図１、図２及び図３を参照して本発明による壁掛け型の電子レンジを詳しく説明する。
図２に示したように、ダクト部材２５には調理室１０の温度を感知する温度感知センサー５０が設けられるように上部及び下部開口の温度感知センサー収容部２６と、調理室１０の照明のためにランプ５７を設けるランプ収容部５６とが備えられている。
【００１９】
温度感知センサー５０の一端部には温度感知センサー５０の半径方向に伸びるフランジ部５１が備えられており、他端部には温度感知センサー５０に電源を供給するための端子５２が備えられている。温度感知センサー５０の端子５２には電源供給のためのリード線（図示せず）が連結され、そのリード線は温度感知センサー収容部２６を通して引出される。
【００２０】
温度感知センサー収容部２６の内壁には温度感知センサー５０がキャビティケーシング６５の上面に設けられるように温度感知センサー５０を支持するセンサーホルダ３０が備えられている。
【００２１】
センサーホルダ３０は、図３に示したように、円弧状で形成されて相互対向する一対の把持部３１と、一対の把持部３１の間に備えられる離脱防止部３７とを有する。把持部３１は温度感知センサー５０の外面を取り囲んで把持する装着部３３と、把持部３１の自由端部に温度感知センサー５０の挿入を容易にするために相互に反対方向に向くように傾斜した挿入傾斜部３５とを有する。離脱防止部３７は弾性変形可能な棒状であって、温度感知センサー５０の離脱防止のために温度感知センサー５０の上部を加圧する。離脱防止部３７の自由端部には温度感知センサー５０が半径方向に流動することを防止するための係止片３８が形成されている。
【００２２】
このような構成により、温度感知センサー５０は温度感知センサー収容部２６の内壁に形成されたセンサーホルダ３０に設けられる。温度感知センサー５０を把持部３１の水平方向に加圧すると、温度感知センサー５０は把持部３１の挿入傾斜部３５に沿って装着部３５に案内されて把持される。温度感知センサー５０が把持部３１により把持され、離脱防止部３７の係止片３８が温度感知センサー５０の上部に係止されると、温度感知センサー５０はキャビティケーシング６５の上面に密着されるように下向き加圧される。
【００２３】
このようにダクト部材２５に備えられた温度感知センサー収容部２６の内壁に温度感知センサー５０が設けられるように備えられたセンサーホルダ３０により、キャビティケーシング６５の上面にセンサーホルダ３０を取り付ける溶接工程なしに温度感知センサー５０がキャビティケーシング６５の上面に密着可能にして作業数が減少し、低コスト化も達成される。
【００２４】
温度感知センサー５０をキャビティケーシング６５の上部面に設ける方法はセンサーホルダ３０に温度感知センサー５０を結合させた後、ダクト部材２５をキャビティケーシング６５の上部に安着させることができ、ダクト部材２５をキャビティケーシング６５の上部面に安着させた後、温度感知センサー収容部２６を通してセンサーホルダ３０に温度感知センサー５０を結合させることもできる。
【００２５】
図４は本発明の他の実施形態による温度感知センサーの拡大分解斜視図である。示したように、本実施形態では温度感知センサー５０とセンサーホルダ３０との間に温度感知センサー５０を加圧する加圧部材のスプリング４０が備えられている。
【００２６】
温度感知センサー５０の外側面を取り囲むようにスプリング４０を挿入した後、センサーホルダ３０の水平方向に温度感知センサー５０を挿入すると、離脱防止部３７がスプリング４０を下向き加圧する。離脱防止部３７がスプリング４０を下向き加圧すると、温度感知センサー５０がキャビティケーシング６５の上面に正確に密着されうる。
【００２７】
本実施形態では温度感知センサー５０とセンサーホルダ３０との間に加圧部材としてスプリング４０を備えているが、温度感知センサー５０を弾性的に下向き加圧できる各種の加圧部材が用いられる。
【００２８】
本発明のセンサーホルダはダクト部材と一体に射出成形が可能であり、センサーホルダをダクト部材と別途に備えてねじ締結のような様々な結合方法を用いてダクト部材の温度感知センサー収容部に設けることができる。センサーホルダの形状は温度感知センサーの形状に応じて様々に備えられる。
【００２９】
また、センサーホルダの把持部の設置高さとは異なり、可変的に設けることもできる。
【００３０】
【発明の効果】
上述したように、本発明によれば、ダクト部材に温度感知センサーを支持するセンサーホルダを備えることにより、温度感知センサーの組立て作業工程が簡素になり、制作費も節減できる。
【図面の簡単な説明】
【図１】本発明による壁掛け型の電子レンジの分解斜視図である。
【図２】図１のダクト部材と温度感知センサーの拡大斜視図である。
【図３】図２の温度感知センサーとセンサーホルダの結合状態図である。
【図４】本発明の他の実施形態による温度感知センサーとダクト部材の拡大分解図である。
【図５】従来の壁掛け型の電子レンジの分解斜視図である。
【符号の説明】
１  本体ケーシング
３  下部ケーシング
５  外部ケーシング
１０  調理室
２５  ダクト部材
２６  温度感知センサー収容部
３０  センサーホルダ
３１  把持部
３３  装着部
３５  挿入傾斜部
３７  離脱防止部
３８  係止片
４０  スプリング
５０  温度感知センサー
５１  フランジ部
５２  端子
６５  キャビティケーシング
【図１】
0003616024.tif 000002
【図２】
0003616024.tif 000003
【図３】
0003616024.tif 000004
【図４】
0003616024.tif 000005
【図５】
0003616024.tif 000006